(57)【要約】【課題】ユーザによる動物の捕獲状況や罠の位置情報の管理を容易に行うこと。【解決手段】端末プログラムは、端末装置１０に、捕獲した動物や設置した罠の画像を撮像する撮像手順と、端末装置１０を使用しているユーザを識別する識別情報を取得する取得手順と、撮像手順によって撮像された画像の画像ファイルに、取得手順によって取得された識別情報を追加する追加手順と、画像ファイルをサーバに送信する送信手順と、を実行させる。【選択図】図１
2020052678.tif 000002
【特許請求の範囲】
【請求項１】
端末装置に、
捕獲した動物や設置した罠の画像を撮像する撮像手順と；
前記端末装置を使用しているユーザを識別する識別情報を取得する取得手順と；
前記撮像手順によって撮像された画像の画像ファイルに、前記取得手順によって取得された識別情報を追加する追加手順と；
前記画像ファイルをサーバに送信する送信手順と；
を実行させることを特徴とする端末プログラム。
【請求項２】
前記追加手順は、前記画像ファイルに含まれるメタデータに前記識別情報を追加することを特徴とする請求項１に記載の端末プログラム。
【請求項３】
前記取得手順は、前記識別情報をサーバから取得することを特徴とする請求項１に記載の端末プログラム。
【請求項４】
捕獲した動物や設置した罠の画像を撮像する撮像部と；
ユーザを識別する識別情報を取得する取得部と；
前記撮像部によって撮像された画像の画像ファイルに、前記取得部によって取得された識別情報を追加する追加部と；
前記画像ファイルをサーバに送信する送信部と；
を具備することを特徴とする端末装置。
【発明の詳細な説明】
【技術分野】
【０００１】
本発明の実施形態は、端末プログラム及び端末装置に関する。
【背景技術】
【０００２】
イノシシやシカといった害獣を捕獲した際に、その証拠として切断した尻尾等を自治体に提出し、報奨金を得る制度がある。また、動物の個体を管理する方法として、暗号化された鼻紋の読み取りデータを受け取り、当該データを復号した上で所有者情報等と対応付けて管理する方法が知られている。
【先行技術文献】
【特許文献】
【０００３】
【特許文献１】特開２００１−１４８９５７号公報
【発明の概要】
【発明が解決しようとする課題】
【０００４】
しかしながら、従来の手法には、ユーザによる動物の捕獲状況を容易に管理できない場合があるという問題がある。例えば、上記の鼻紋の読み取りデータを管理する手法には、暗号化や復号化の手順が複雑になる場合があるという問題がある。
【０００５】
本発明は、ユーザによる動物の捕獲状況を容易に管理するための端末プログラム及び端末装置を提供することを目的とする。
【課題を解決するための手段】
【０００６】
本実施形態の端末プログラムは、端末装置に、撮像手順と、取得手順と、追加手順と、送信手順と、を実行させる。撮像手順は、捕獲した動物や設置した罠の画像を撮像する。取得手順は、端末装置を使用しているユーザを識別する識別情報を取得する。追加手順は、撮像手順によって撮像された画像の画像ファイルに、取得手順によって取得された識別情報を追加する。送信手順は、画像ファイルをサーバに送信する。
【発明の効果】
【０００７】
本発明によれば、ユーザによる動物の捕獲状況を容易に管理する端末プログラム及び端末装置を提供することができる。
【図面の簡単な説明】
【０００８】
【図１】図１は、実施形態に係る管理システムの構成例を示す図である。
【図２】図２は、実施形態に係る端末装置の構成例を示すブロック図である。
【図３】図３は、実施形態に係る画像ファイルの一例を示す図である。
【図４】図４は、実施形態に係るサーバの構成例を示すブロック図である。
【図５】図５は、実施形態に係るユーザ情報の一例を示す図である。
【図６】図６は、実施形態に係る捕獲情報の一例を示す図である。
【図７】図７は、実施形態に係る端末装置の処理の手順を示すフローチャートである。
【発明を実施するための形態】
【０００９】
以下で説明する実施形態に係る実施形態の端末プログラムは、端末装置１０に、捕獲した動物や設置した罠の画像を撮像する撮像手順と、端末装置１０を使用しているユーザを識別する識別情報を取得する取得手順と、撮像手順によって撮像された画像の画像ファイルに、取得手順によって取得された識別情報を追加する追加手順と、画像ファイルをサーバに送信する送信手順と、を実行させる。
【００１０】
以下で説明する実施形態に係る端末プログラムは、端末装置１０に、画像ファイルに含まれるメタデータに識別情報を追加させる。
【００１１】
以下で説明する実施形態に係る端末プログラムは、端末装置１０に、識別情報をサーバから取得させる。
【００１２】
以下で説明する実施形態に係る端末装置１０は、捕獲した動物や設置した罠の画像を撮像する撮像部１１と、端末装置を使用しているユーザを識別する識別情報を取得する取得部１４２と、撮像部１１によって撮像された画像の画像ファイルに、取得部１４２によって取得された識別情報を追加する追加部１４３と、画像ファイルをサーバに送信する送信部１４４と、を有する。
【００１３】
以下、図面を参照して、実施形態に係る端末プログラム及び端末装置を説明する。実施形態において同一の部位には同一の符号を付し、重複する説明は省略される。図１〜図７を用いて、実施形態に係る管理システムについて説明する。
【００１４】
［管理システムの構成例］
まず、端末プログラムを実行する端末装置を含む管理システムの構成を説明する。図１は、実施形態に係る管理システムの構成例を示す図である。管理システム１は、ユーザごとの、猟又は罠による動物の捕獲状況を管理するためのシステムである。図１に示すように管理システム１は、端末装置１０及びサーバ２０を有する。また、端末装置１０及びサーバ２０は、ネットワーク２を介して通信可能に接続されている。また、端末装置１０は、カメラ機能等を用いて、捕獲した動物や設置した罠の画像を撮像する。
【００１５】
例えば、端末装置１０は、スマートフォン、タブレット及びデジタルカメラ等の携帯型の端末装置である。サーバ２０は、端末装置１０から取得した情報の管理を行うサーバである。例えば、サーバ２０は、各装置へのアプリケーションの提供、及びアプリケーションで利用される情報の管理を行う。また、端末装置１０は、サーバ２０に画像ファイル１００を送信する。
【００１６】
図２は、実施形態に係る端末装置の構成例を示すブロック図である。図２に示すように、端末装置１０は、撮像部１１、通信部１２、記憶部１３及び制御部１４を有する。
【００１７】
撮像部１１は、ユーザが捕獲した動物、すなわち獲物の画像や設置した罠の画像を撮影する。撮像部１１は、例えばカメラである。撮像部１１が撮影する画像は静止画であってもよいし、動画であってもよい。
【００１８】
通信部１２は、無線通信処理や有線通信処理を行うためのネットワークデバイスである。例えば、通信部１２は、ネットワーク２を介してサーバ２０との間で各種情報を送受信する。
【００１９】
記憶部１３は、例えば、ＲＡＭ（Random  Access  Memory）、フラッシュメモリ（Flash  Memory）等の半導体メモリ素子、又は、ハードディスク、光ディスク等の記憶装置によって実現される。実施形態に係る記憶部１３は、端末装置１０で実行される各処理で利用されるデータを記憶する。記憶部１３は、識別情報１３１を記憶する。
【００２０】
識別情報１３１は、端末装置１０のユーザを識別するための情報である。識別情報１３１は、あらかじめ生成された「mq27hsg4zt」のようなランダムな文字列である。また、識別情報１３１は、端末装置１０のユーザの顔の画像から抽出された特徴を数値化したデータであってもよい。
【００２１】
制御部１４は、各種の処理手順等を規定したプログラム及び所要データを格納するための内部メモリを有し、これらによって種々の処理を実行する。制御部１４は、受信部１４１、取得部１４２、追加部１４３、送信部１４４を有する。
【００２２】
受信部１４１は、サーバ２０から識別情報１３１を受信する。例えば、ユーザは、端末装置１０を操作し、サーバ２０に対して自身のＩＤ及びパスワードを送信し、識別情報１３１を要求する。そして、端末装置１０は、要求に対してサーバ２０から送信されてきた識別情報１３１を受信し、記憶部１３に格納する。
【００２３】
取得部１４２は、識別情報１３１を取得する。取得部１４２は、記憶部１３に格納済みの識別情報１３１を取得することができる。また、取得部１４２は、受信部１４１に、サーバ２０から識別情報１３１を受信させてもよい。
【００２４】
追加部１４３は、撮像部１１によって撮像された画像の画像ファイルに含まれるメタデータに、取得部１４２によって取得された識別情報１３１を追加する。例えば、追加部１４３は、Ｅｘｉｆ（Exchangeable  image  file  format）（登録商標）のメタデータの「UserComment」領域に、識別情報１３１として「mq27hsg4zt」という文字列を書き込むことができる。
【００２５】
図３を用いて、追加部１４３によって識別情報１３１が追加された画像ファイル１００について説明する。図３は、実施形態に係る画像ファイルの一例を示す図である。図３に示すように、画像ファイル１００は、画像データ１０１及びメタデータ１０２を含む。画像データ１０１は、撮像部１１によって撮像された動物や設置した罠の画像を表すデータである。
【００２６】
また、メタデータ１０２は、「日時」、「場所」及び「識別情報」といった項目を含む。ここで、追加部１４３は、メタデータ１０２の項目「場所」に位置情報を追加する。図３の例では、メタデータ１０２の項目「日時」の値は「2018/9/5  15:10」である。また、メタデータ１０２の項目「場所」の値は、「34°26'27.0"N  167°39'10.1"E」である。また、メタデータ１０２の項目「識別情報」の値は、「mq27hsg4zt」である。また、追加部１４３は、識別情報以外にも、天気や気温等の外部から取得可能な情報をメタデータ１０２に追加してもよい。
【００２７】
送信部１４４は、画像ファイル１００をサーバ２０に送信する。送信部１４４は、追加部１４３によって識別情報１３１が追加された画像ファイル１００を送信する。また、送信部１４４は、通信機能を備えた記憶媒体（参考ＵＲＬ：https://jp.toshiba-memory.com/product/flashair/sduwa/）であってもよい。
【００２８】
図４は、実施形態に係るサーバの構成例を示すブロック図である。図４に示すように、サーバ２０は、通信部２１、記憶部２２及び制御部２３を有する。
【００２９】
通信部２１は、無線通信処理や有線通信処理を行うためのネットワークデバイスである。例えば、通信部２１は、ネットワーク２を介して端末装置１０との間で各種情報を送受信する。
【００３０】
記憶部２２は、例えば、ＲＡＭ、フラッシュメモリ等の半導体メモリ素子、又は、ハードディスク、光ディスク等の記憶装置によって実現される。実施形態に係る記憶部２２は、サーバ２０で実行される各処理で利用されるデータを記憶する。記憶部２２は、ユーザ情報２２１及び捕獲情報２２２を記憶する。
【００３１】
ユーザ情報２２１は、ユーザごとの識別情報である。図５は、実施形態に係るユーザ情報の一例を示す図である。図５に示すように、ユーザＩＤ「Ｕ００１」と識別情報「mq27hsg4zt」が対応付けられている。このように、サーバ２０は、ユーザＩＤと識別情報を対応付けて記憶しているため、１人のユーザが複数の異なる端末装置１０から画像ファイルを送信してきた場合であっても、識別情報によりユーザを識別することができる。
【００３２】
捕獲情報２２２は、端末装置１０によって送信された画像に、ユーザを識別するユーザＩＤ及びメタデータと対応付けた情報である。図６は、実施形態に係る捕獲情報の一例を示す図である。図６に示すように、捕獲情報２２２には、ユーザＩＤ、画像、日時及び位置が含まれる。
【００３３】
例えば、図６の捕獲情報２２２の１行目は、ユーザ「Ｕ００１」が、捕獲した動物の画像を「2018/9/5  15:10」に、位置「34°26'27.0"N  167°39'10.1"E」で撮像したことを示している。なお、ユーザＩＤは、画像ファイルのメタデータに追加された識別情報を基に、ユーザ情報２２１から取得可能である。
【００３４】
制御部２３は、各種の処理手順等を規定したプログラム及び所要データを格納するための内部メモリを有し、これらによって種々の処理を実行する。制御部２３は、受信部２３１、認証部２３２及び送信部２３３を有する。
【００３５】
受信部２３１は、端末装置１０によって送信された画像ファイルを受信する。また、認証部２３２はユーザを認証する。例えば、認証部２３２はユーザＩＤ及びパスワードを使って認証を行う。
【００３６】
送信部２３３は、認証済みのユーザの要求に応じて、ユーザ情報２２１から取得した識別情報を端末装置１０に送信する。また、送信部２３３は、認証済みのユーザの要求に応じて、捕獲情報２２２を送信することができる。
【００３７】
［処理手順］
図７を用いて、管理システム１の処理の流れについて説明する。図７は、実施形態に係る端末装置の処理の手順を示すフローチャートである。
【００３８】
図７に示すように、まず、端末装置１０は、サーバ２０から識別情報１３１を取得し、記憶部１３に格納する（ステップＳ１０１）。次に、端末装置１０は、獲物や設置した罠の画像を撮像する（ステップＳ１０２）。
【００３９】
ここで、端末装置１０は、撮像した画像の画像ファイルのメタデータに識別情報１３１を追加する（ステップＳ１０３）。そして、端末装置１０は、画像ファイルをサーバ２０に送信する（ステップＳ１０４）。
【００４０】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００４１】
１  管理システム
２  ネットワーク
１０  端末装置
１１  撮像部
１２、２１  通信部
１３、２２  記憶部
１４、２３  制御部
１３１  識別情報
１４１  受信部
１４２  取得部
１４３  追加部
１４４、２３３  送信部
２２１  ユーザ情報
２２２  捕獲情報
２３１  受信部
２３２  認証部
【図１】
2020052678.tif 000003
【図２】
2020052678.tif 000004
【図３】
2020052678.tif 000005
【図４】
2020052678.tif 000006
【図５】
2020052678.tif 000007
【図６】
2020052678.tif 000008
【図７】
2020052678.tif 000009